(57)【特許請求の範囲】
【請求項１】
電線やケーブルを挿通させる電線挿通部を有する膜部と、貫通孔を有し膜部の周縁を保持する第１部材と、貫通孔を有し第１部材との間に膜部の周縁部を挟み込む第２部材と、第３部材とを備え、電気機器収納用箱の開口部を塞ぐ電気機器収納用箱の電線挿通構造において、第１部材に電気機器収納用箱の開口方向に立上片または溝部を形成し、膜部の周縁部にはこれに対応する溝部または立上片を形成して両者を係合させ、電気機器収納用箱の開口部に取り付けた構造であり、
さらに第１部材は、外周面に沿って延びるフランジ部と、フランジ部に形成された中央部の貫通孔及び立上片と、開口部の内部に挿入される円筒部を備え、電気機器収納用箱の外面側から円筒部を嵌込み、リングで形成された第３部材を電気機器収納用箱の内面側から第１部材の円筒部の外周面に螺合させて電気機器収納用箱の開口部に固定させ、中央に貫通孔を有する略円筒状の第２部材を電気機器収納用箱の内面側から第１部材の内周面からねじこみ、膜部は第１部材と第２部材との間にはさみ込まれて固定される構造であることを特徴とする電気機器収納用箱の電線挿通構造。
【請求項２】
電線やケーブルを挿通させる電線挿通部を有する膜部と、貫通孔を有し膜部の周縁を保持する第１部材と、貫通孔を有し第１部材との間に膜部の周縁部を挟み込む第２部材と、第３部材とを備え、電気機器収納用箱の開口部を塞ぐ電気機器収納用箱の電線挿通構造において、第１部材に電気機器収納用箱の開口方向に立上片または溝部を形成し、膜部の周縁部にはこれに対応する溝部または立上片を形成して両者を係合させ、電気機器収納用箱の開口部に取り付けた構造であり、
さらに第３部材は第２部材を電気機器収納用箱の開口部に固定する構造であることを特徴とする電気機器収納用箱の電線挿通構造。
【請求項３】
第２部材の開口方向に立上片または溝部を形成し、膜部の周縁部にはこれに対応する溝部または立上片を形成して両者を係合させたことを特徴とする請求項１または２記載の電気機器収納用箱の電線挿通構造。
【請求項４】
膜部の周縁部を電線挿通部よりも肉厚に形成したことを特徴とする請求項１〜３の何れかに記載の電気機器収納用箱の電線挿通構造。
【請求項５】
膜部の周縁部に凹凸状の滑り防止部を形成したことを特徴とする請求項４記載の電気機器収納用箱の電線挿通構造。
【発明の詳細な説明】
【技術分野】
【０００１】
本発明は、電気機器収納用箱の開口部に膜部材を取付けた電線挿通構造に関するものである。
【背景技術】
【０００２】
電気機器収納用箱には、電線やケーブルを入出線させるための開口部が形成されているが、そのまま放置していると開口部から水が浸入したり、開口部を打ち抜いたときに発生したバリによって電線の被覆が破れることがある。このため従来から電気機器収納用箱の開口部には、グロメットと呼ばれる電線挿通構造が用いられている。
【０００３】
このようなグロメットと呼ばれる電線挿通構造は、電線やケーブルを挿通させる電線挿通部を有する膜部の周縁に開口部への取付け部を一体に形成したものであるが、一度使用してしまった場合や入出線に失敗してしまった場合には全体を交換しなければならない。
【０００４】
そこで特許文献１及び特許文献２には、固定枠で膜部を挟み込み開口部に固定する構造の電線挿通構造が提案されている。しかしこれらの構造においても、開口部にねじで固定する場合に膜部が引っ張られるため、膜部が固定枠からはみ出したりすることがあり、膜部の張りがなくなって防水性能が損なわれることがあった。
【先行技術文献】
【特許文献】
【０００５】
【特許文献１】特開平５−２８２９５２号公報
【特許文献２】特開２００９−２９６７８４号公報
【発明の概要】
【発明が解決しようとする課題】
【０００６】
従って本発明の目的は上記した従来の問題点を解決し、電線やケーブルを挿通したりねじの締付けを行っても、膜部の張り及び防水効果が損なわれることがない電気機器収納用箱の電線挿通構造を提供することである。
【課題を解決するための手段】
【０００７】
上記の課題を解決するためになされた本発明は、電線やケーブルを挿通させる電線挿通部を有する膜部と、貫通孔を有し膜部の周縁を保持する第１部材と、貫通孔を有し第１部材との間に膜部の周縁部を挟み込む第２部材と、第３部材とを備え、電気機器収納用箱の開口部を塞ぐ電気機器収納用箱の電線挿通構造において、第１部材に電気機器収納用箱の開口方向に立上片または溝部を形成し、膜部の周縁部にはこれに対応する溝部または立上片を形成して両者を係合させ、電気機器収納用箱の開口部に取り付けた構造であり、
さらに第１部材は、外周面に沿って延びるフランジ部と、フランジ部に形成された中央部の貫通孔及び立上片と、開口部の内部に挿入される円筒部を備え、電気機器収納用箱の外面側から円筒部を嵌込み、リングで形成された第３部材を電気機器収納用箱の内面側から第１部材の円筒部の外周面に螺合させて電気機器収納用箱の開口部に固定させ、中央に貫通孔を有する略円筒状の第２部材を電気機器収納用箱の内面側から第１部材の内周面からねじこみ、膜部は第１部材と第２部材との間にはさみ込まれて固定される構造であることを特徴とするものである。
【０００８】
また上記の課題を解決するためになされた請求項２の発明は、電線やケーブルを挿通させる電線挿通部を有する膜部と、貫通孔を有し膜部の周縁を保持する第１部材と、貫通孔を有し第１部材との間に膜部の周縁部を挟み込む第２部材と、第３部材とを備え、電気機器収納用箱の開口部を塞ぐ電気機器収納用箱の電線挿通構造において、第１部材に電気機器収納用箱の開口方向に立上片または溝部を形成し、膜部の周縁部にはこれに対応する溝部または立上片を形成して両者を係合させ、電気機器収納用箱の開口部に取り付けた構造であり、
さらに第３部材は第２部材を電気機器収納用箱の開口部に固定する構造であることを特徴とするものである。
【０００９】
なお請求項３のように、この第２部材の開口方向に立上片または溝部を形成し、膜部の周縁部にはこれに対応する溝部または立上片を形成して両者を係合させた構造とすることができる。また請求項４のように、膜部の周縁部を電線挿通部よりも肉厚に形成することが好ましく、請求項５のように、膜部の周縁部に凹凸状の滑り防止部を形成した構造とすることが好ましい。
【発明の効果】
【００１０】
本発明の電気機器収納用箱の電線挿通構造は、第１部材に形成された立上片または溝部を膜部の周縁部に形成された溝部または立上片に係合させて膜部を電気機器収納用箱の開口部に取り付ける構造であるため、電線やケーブルを挿通したりねじの締付けを行ったりしても膜部が確実に保持されるため、膜部の張りが安定に保たれるとともに、防水効果も安定させることができる。
【００１１】
また、第１部材または第２部材を電気機器収納用箱の開口部に固定する第３部材を備えた構造としたので、膜部の交換を容易に行うことが可能となる。また請求項１の第１部材は、外周面に沿って延びるフランジ部と、フランジ部に形成された中央部の貫通孔及び立上片と、開口部の内部に挿入される円筒部を備え、電気機器収納用箱の外面側から円筒部を嵌込み、リングで形成された第３部材が電気機器収納用箱の内面側から第１部材の円筒部の外周面に螺合させて電気機器収納用箱の開口部に固定させ、中央に貫通孔を有する略円筒状の第２部材を電気機器収納用箱の内面側から第１部材の内周面からねじこみ、膜部は第１部材と第２部材との間にはさみ込まれて固定される構造としたので、第２部材を取り外すだけで膜部の交換を容易に行うことが可能である。
【００１２】
また請求項４のように、膜部の周縁部を電線挿通部よりも肉厚に形成しておけば、第１部材に形成された立上片または溝部と膜部との係合をより確実強固に行わせることができるとともに、ねじ締めを行うときに膜部を巻き込んで破損させることもない。
【００１３】
さらに請求項５のように、膜部の周縁部に凹凸状の滑り防止部を形成した構造としておけば、膜部の滑りによる外れなどのトラブルを解消することができる。
【図面の簡単な説明】
【００１４】
【図１】本発明の第１の実施形態を示す分解斜視図である。
【図２】本発明の第１の実施形態の取付け直前を示す断面斜視図である。
【図３】本発明の第１の実施形態を示す断面図である。
【図４】要部の拡大断面図である。
【図５】本発明の第２の実施形態を示す斜視図である。
【図６】請求項２の発明の実施形態を示す断面図である。
【発明を実施するための形態】
【００１５】
以下に本発明の好ましい実施形態を図面とともに詳細に説明する。
図１〜図４は本発明の第１の実施形態を示す図であり、１は電気機器収納用箱の壁面、２はこの壁面１に形成された電線やケーブルを挿通させるための開口部である。この実施形態では開口部２は円形孔である。３はこの開口部２に取付けられる円形の膜部であり、ゴムやオレフィン系熱可塑性エラストマーからなり、電線を挿通ししたあとでも、電線の形状に馴染むように締め付け防水性を高くするものであり、前述した以外の材料であっても、防水性を高くするものであれば良いものである。図１に示されるように、膜部３の周囲に肉厚の周縁部４が形成されている。膜部３の中央部分には、電線やケーブルを挿通させる電線挿通部５が形成されている。電線挿通部５には電線等の挿通を容易にするための肉薄部が形成されている。多数の電線を通過させる場合には、肉薄部を均等に分散形成することが好ましい。図１に示されるように、この実施形態では膜部３は、パッキン６、第１部材１０、第２部材２０、第３部材３０によって開口部２に取付けられている。第１部材１０、第２部材２０、第３部材３０は何れも樹脂成形品である。
【００１６】
第１部材１０は、開口部２の外周面に沿って延びるフランジ部１１と、その中央部に形成された貫通孔１２と、開口部２の内部に挿入される円筒部１３を備えている。図２〜図４に示されるように、フランジ部１１の内周部には電気機器収納用箱の開口方向（軸線方向）に環状の立上片１４が形成されている。また膜部３の周縁部４には、この環状の立上片１４に対応させて溝部７が形成され、両者を係合させることによって膜部３を第１部材１０に確実に保持させている。つまり、第１部材１０と後述する第２部材２０とによって膜部３が挟止され、膜部３の溝部７に第１部材１０の立上片１４が嵌まりこむ。そして、後述する第２部材２０が膜部３を第１部材１０に押し付けるために、電線などを挿入しても膜部３がずれることもなく、防水性能も高めることになるものである。なおこの実施形態とは逆に、膜部３側に立上片を設け、第１部材１０側に溝部を形成することもできる。第１部材１０の円筒部１３の外周面にはおねじ１５が形成されており、内周面にはめねじ１６が形成されている。
【００１７】
第２部材２０は中央に貫通孔２１を有する略円筒状のもので、その外周面には前記のめねじ１６に対応するおねじ２２と、電線挿通孔２４とが形成されている。また第２部材２０の先端部には、膜部３の内面を支持する小径部２３が形成されている。図２、図３に示すように第２部材２０は電気機器収納用箱の内面側から第１部材１０の内側にねじこまれる。膜部３の周縁部４は第１部材１０と第２部材２０との間にはさみ込まれて固定される。電線挿通孔２４は電線を直接挿入したり、結束バンドを通したりすることによって電線を保持する役割を持つ。
【００１８】
第３部材３０は、内周面にめねじ３１を備えたリングであり、電気機器収納用箱の内面側から第１部材１０の円筒部１３の外周面に形成されたおねじ１５に螺合される。図２、図３に示すように、第１部材１０のフランジ部１１と第３部材３０とによって電気機器収納用箱の開口部２の内周端部が表裏両側から挟まれ、全体を開口部２に強固に固定することができる。第３部材３０の外周には、回転を助けるための凹部３２が形成されている。
【００１９】
なお、図４に示すように膜部３の周縁部４に凹凸状の滑り防止部８を形成した構造としておけば、第１部材１０の立上片１４との接触部の摩擦が大きくなり、第２部材２０を第１部材１０に螺合させる際に膜部３が滑って外れたり、電線挿通時に引っ張られて膜部３が外れてしまうなどのトラブルをより確実に防止できる効果を得ることができる。なお、この実施形態においては膜部３の周縁部４に形成した凹凸状の滑り防止部８は第１部材１０との接触部に形成したものを記載しているが、第２部材２０との接触部に形成したものでも良いことは勿論である。なお、膜部３の周縁部４側ではなく、第１部材１０もしくは第２部材２０側に凹凸状の滑り防止部８を形成しても良いことは勿論である。
【００２０】
パッキン６は第１部材１０と電気機器収納用箱の壁面１との間に挟まれて防水性能を高めるための部材である。パッキン６には防水効果のほかに第１部材１０を固定する場合の滑りを防止し、強固な取付を可能とする効果もある。パッキン６は第１部材１０の円筒部１３よりも大きい内径を有するものである。
【００２１】
このように構成された第１の実施形態のものを組み立てるには、先ずパッキン６を第１部材１０の円筒部１３の外周に通したうえ、開口部２に外側からはめ込み、第３部材３０を内側から第１部材１０の外周面のおねじ１５に螺合させ、回転締め付けを行う。その後、あるいはそれに先立って膜部３を内側から開口部２に挿入し、第２部材２０を第１部材１０の内周面のめねじ１６に螺合させ、第１部材１０との間に膜部３の周縁部４を挟みこんで立上片１４が膜部３を押し付け固定する。このとき第１部材１０の立上片１４を膜部３の周縁部４の溝部７に係合させることにより、強固な取り付けが可能となる。
【００２２】
このように、壁面１の周囲にねじ孔を形成する必要がなく、工具も用いないで取り付けが可能である。また電気機器収納用箱の外面側に第３部材３０が露出しないので、いたずらによって取り外されることもなく、外観もよい。さらに、膜部３を交換したい場合には第２部材２０のみを取り外せばよく、全体を取り外す必要がないものである。
【００２３】
図５は本発明の第２の実施形態を示す斜視図であり、第１部材１０に小型の貫通孔１２と円筒部１３とを複数形成したものである。このように円筒部１３を小型化して複数個としておけば、電線の変更がない場合には１つの膜部３の多数の電線を通し、電線を何度も取付けたり取り外したりする場合には、取り外し予定の電線をまとめて一方の膜部３に通すなどの使い分けが可能となる。
【００２４】
【００２５】
【００２６】
【００２７】
【００２８】
【００２９】
【００３０】
【００３１】
次に図６に請求項２の発明の実施形態を示す。これは図１〜図４の本発明の第１の実施形態の変形で、図示のように第２部材２０を電気機器収納用箱の外面側から嵌め込み、第３部材３０により電気機器収納用箱の内側から第２部材２０の円筒部の外周面に螺合させて電気機器収納用箱の開口部に固定させ、膜部３を挿入した第１部材１０を電気機器収納用箱の外面側から第２部材２０の円筒部の外周面に螺合させて固定させるものである。つまり、図１〜図４の第１の実施形態のものでは第１部材１０を第３部材３０によって固定するものであるが、図１３のように第２部材２０を第３部材３０によって固定するような形状のものであっても良いものである。この構成においても、第１部材１０と後述する第２部材２０とによって膜部３が挟止されるものであり、膜部３を交換する場合には第１部材のみ取り外しすれば良い。なお、上述した形状においては第1部財１０、第２部材２０、第３部材３０の嵌め込みは電気機器収納用箱の内面側もしくは外面側と記載しているがその形状に限定されるものではないものである。
【００３２】
以上に説明したように、本発明の電気機器収納用箱の電線挿通構造においては、第１部材１０に電気機器収納用箱の開口方向に立上片または溝部を形成し、膜部３の周縁部４にはこれに対応する溝部または立上片を形成して両者を係合させるので、電線やケーブルを挿通したりねじの締付けを行ったりしても膜部３が確実に保持される。
【符号の説明】
【００３３】
１  電気機器収納用箱の壁面
２  開口部
３  膜部
４  周縁部
５  電線挿通部
６  パッキン
７  溝部
８  滑り防止部
１０  第１部材
１１  フランジ部
１２  貫通孔
１３  円筒部
１４  立上片
１５  おねじ
１６  めねじ
１７  平面部
１８  立上片
１９  ねじ孔
２０  第２部材
２１  貫通孔
２２  おねじ
２３  小径部
２４  電線挿通孔
２５  ねじ孔
３０  第３部材
３１  めねじ
３２  凹部
４０  ねじ
【図２】
0005541969.tif 000002
【図３】
0005541969.tif 000003
【図４】
0005541969.tif 000004
【図６】
0005541969.tif 000005
【図１】
0005541969.tif 000006
【図５】
0005541969.tif 000007